(57)【要約】      （修正有）【課題】創傷閉鎖を容易にするための外科手術用閉鎖装置を提供する。【解決手段】外科手術用閉鎖装置１０は、創傷開口内に位置付け、かつ中央長手方向軸を画定するように寸法決めされ、第１の長手方向通路及び第２の長手方向通路を有する外側部材１２と、外側部材の第１の長手方向通路内に少なくとも部分的に配設された針組立体と、創傷開口を少なくとも部分的に閉鎖するように構成され、かつ外側部材の第２の長手方向通路を通して少なくとも部分的に延在する縫合糸２０とを含む。針組立体は、針駆動部と、針駆動部に取り付けられ、かつ縫合糸に連結された縫合針４６とを含む。縫合針は、針駆動部の操作を通して非準備状態と準備状態との間で中央長手方向軸に対して回転運動するように適合される。縫合針は、準備状態にあるときに創傷開口に隣接する組織を通過するように位置付けられる。【選択図】図１
2018126508.tif 000002
【特許請求の範囲】
【請求項１】
創傷閉鎖を容易にするための外科手術用閉鎖装置であって、
創傷開口内に位置付け、かつ中央長手方向軸を画定するように寸法決めされた外側部材であって、第１の長手方向通路及び第２の長手方向通路を有する、外側部材と、
前記外側部材の前記第１の長手方向通路内に少なくとも部分的に配設された針駆動部と、前記針駆動部に取り付けられた縫合針とを含む針組立体であって、前記縫合針が、前記針駆動部の操作を通して非準備状態と準備状態との間で前記中央長手方向軸に対して回転運動するように適合され、前記縫合針が、前記準備状態にあるときに前記創傷開口に隣接する組織を通過するように位置付けられる、針組立体と、
前記組織内で前記創傷開口を少なくとも部分的に閉鎖するように構成された縫合糸であって、前記縫合針に連結され、かつ前記外側部材の前記第２の長手方向通路を通して少なくとも部分的に延在する、縫合糸と、を備える、外科手術用閉鎖装置。
【請求項２】
前記縫合針が、湾曲し、針先を画定する、請求項１に記載の外科手術用閉鎖装置。
【請求項３】
前記縫合針の少なくとも前記針先が、前記縫合針の前記準備状態にあるときに前記外側部材に対して径方向外方に配設される、請求項２に記載の外科手術用閉鎖装置。
【請求項４】
前記縫合針の少なくとも前記針先が、前記縫合針の前記非準備状態にあるときに前記外側部材に対して径方向内方に配設される、請求項３に記載の外科手術用閉鎖装置。
【請求項５】
前記針駆動部が、前記非準備状態と前記準備状態との間で前記縫合針の対応する回転運動を生じさせるように、前記外側部材の前記第１の長手方向通路内で回転可能である、請求項４に記載の外科手術用閉鎖装置。
【請求項６】
前記針組立体が、前記針駆動部に連結された手動アクチュエータを含み、前記手動アクチュエータが、前記非準備状態と前記準備状態との間で前記針駆動部及び前記縫合針の対応する回転運動を生じさせるように可動である、請求項５に記載の外科手術用閉鎖装置。
【請求項７】
前記外側部材が、ハウジングと、前記ハウジングから延在する細長い部材とを含み、前記手動アクチュエータが、前記縫合針の前記非準備状態に対応する第１の位置と、前記縫合針の前記準備状態に対応する第２の位置との間で回転運動するように前記ハウジングに取り付けられている、請求項６に記載の外科手術用閉鎖装置。
【請求項８】
前記ハウジングが、前記第１の位置で前記手動アクチュエータを係合させるための第１の止め具と、前記第２の位置で前記アクチュエータを係合させるための第２の止め具とを含む、請求項７に記載の外科手術用閉鎖装置。
【請求項９】
前記外側部材が、前記創傷開口の通過を容易にするように構成された先細りの端区分を含む、請求項１に記載の外科手術用閉鎖装置。
【請求項１０】
創傷閉鎖を容易にするための外科手術用閉鎖装置であって、
創傷開口内に位置付け、かつ中央長手方向軸を画定するように寸法決めされた細長い部材と、
前記細長い部材の壁から径方向外方に垂下する保護レッジと、
前記細長い部材に取り付けられた針組立体であって、前記針組立体が、針駆動部と、前記針駆動部に取り付けられた縫合針とを含み、前記縫合針が、前記縫合針が前記保護レッジと整列される非準備状態と、前記縫合針が前記創傷開口に隣接する組織を通過するように位置付けられる準備状態との間で前記中央長手方向軸に対する前記針駆動部の操作を通して回転運動するように適合されている、針組立体と、を備える、外科手術用閉鎖装置。
【請求項１１】
前記組織内で前記創傷開口を少なくとも部分的に閉鎖するように構成された縫合糸を含み、前記縫合糸が、前記縫合針に連結される、請求項１０に記載の外科手術用閉鎖装置。
【請求項１２】
創傷開口の閉鎖を容易にするための外科手術用閉鎖装置であって、
外側部材と、
針組立体と、
縫合糸と
を備え、
前記外側部材が、創傷開口内に位置付けられるように構成され、
前記針組立体が、前記外側部材の第１の長手方向通路内に少なくとも部分的に延在させ、前記針組立体の湾曲針を非準備状態から準備状態へと移動させ、それにより前記湾曲針が前記外側部材の径方向外方に配設されるように、操作されるように構成され、前記湾曲針がそこに連結された縫合糸を有し、
前記外側部材が、前記湾曲針が前記創傷開口を囲む第１の組織部分を貫通して、前記縫合糸の第１の縫合区分が前記第１の組織部分を通過することを生じさせるように、第１の操作を通して前記創傷開口内で移動されるように構成され、
前記外側部材が、前記創傷開口内に再配置されるように構成され、
前記外側部材が、前記湾曲針が前記創傷開口を囲む第２の組織部分を貫通して、前記縫合糸の第２の縫合区分が前記第２の組織部分を通過することを生じさせるように、第２の操作を通して前記創傷開口内で移動されるように構成され、
前記第１及び第２の縫合区分が、前記創傷開口を少なくとも部分的に閉鎖するように固定されるように構成される、外科手術用閉鎖装置。
【請求項１３】
前記針組立体が、前記非準備状態から前記準備状態への前記湾曲針の対応する回転運動を生じさせるように、前記第１の長手方向通路内で前記針組立体の針駆動部を回転させるように操作されるように構成される、請求項１２に記載の外科手術用閉鎖装置。
【請求項１４】
前記針組立体が、前記針駆動部に連結された手動アクチュエータを含み、前記針組立体が、前記湾曲針の前記非準備状態に対応する第１の位置から、前記湾曲針の前記準備状態に対応する第２の位置へと、前記手動アクチュエータを手動で回転させるように操作されるように構成される、請求項１３に記載の外科手術用閉鎖装置。
【請求項１５】
前記外側部材が、前記縫合糸を収容するための第２の長手方向通路を有し、前記第１及び第２の操作の各々を通して前記外側部材を移動させる間に、前記縫合糸が前記第２の長手方向通路内でスライドするように構成される、請求項１２に記載の外科手術用閉鎖装置。
【請求項１６】
前記外側部材が、前記第１及び第２の操作の各々を通して前記創傷開口内で移動され、前記創傷開口に対して前記外側部材を少なくとも部分的に引き抜くように構成される、請求項１２に記載の外科手術用閉鎖装置。
【請求項１７】
前記創傷開口が、腹腔を通して延在し、前記外側部材が、前記第１及び第２の操作の各々を通して移動され、前記腹腔を囲む少なくとも筋膜を通して前記第１及び第２の縫合区分を前進させるように構成される、請求項１２に記載の外科手術用閉鎖装置。
【請求項１８】
創傷閉鎖を容易にするための外科手術用閉鎖装置であって、
長手方向軸を画定する細長い保持具部材を含む、針保持具と、
前記針保持具の前記保持具部材に固定された針棒と、前記針棒から延在する縫合針とを含む針組立体と、
前記針保持具を少なくとも部分的に受容するように寸法決めされた保護具ハウジングを含む針保護具であって、前記保護具ハウジングが、前記縫合針の針先が前記保護具ハウジング内に配設される非準備状態と、前記縫合針の前記針先が前記保護具ハウジングから露出し、かつ創傷開口に隣接する組織を通過するように位置付けられる準備状態との間で前記針保持具に対して長手方向に往復運動するように構成される、針保護具と、を備える、外科手術用閉鎖装置。
【請求項１９】
前記針保護具の前記保護具ハウジングが、前記針保持具または針棒のうちの少なくとも１つを通過するための第１の開口と、前記縫合針の少なくとも前記針先を通過するための第２の開口とを画定する、請求項１８に記載の外科手術用閉鎖装置。
【請求項２０】
前記保護具ハウジングが、先細りの進入端区分を含み、前記第１の開口が、前記進入端区分の横に位置付けられ、前記第２の開口が、前記進入端区分を通して延在する、請求項１８に記載の外科手術用閉鎖装置。
【発明の詳細な説明】
【技術分野】
【０００１】
関連出願の相互参照
この出願は、２０１７年２月６日に出願された、米国仮特許出願第６２／４５５，０７７号に対する利益及び優先権を主張し、その全体的な開示が、参照により本明細書に組み込まれる。
【０００２】
１．技術分野
本開示は、創傷閉鎖に関し、より具体的には、腹腔鏡外科手術手技と併用して腹部内の創傷もしくはポート開口を閉鎖するための装置及び関連する方法に関する。
【背景技術】
【０００３】
２．関連技術の背景
穿刺創傷は、外傷から生じ得るか、または外科手術手技中に体腔へのアクセスを提供するために意図的に生成され得る。内視鏡または腹腔鏡外科手術手技において、例えば、腹壁を通したカニューレの方法によるアクセスを提供するように腹部を穿刺するために、トロカールが使用される。一般的に、カニューレまたは他のアクセスポータルデバイスは、外科手術手技を行うのに必要とされる外科手術用器具を導入するために腹壁を通して留置される。いったん本手技が完了すると、穿刺創傷を閉鎖する必要がある。
【０００４】
創傷閉鎖の現在の方法は、針を小径ポート内に前進させ、かつ針が皮下組織、筋膜、及び筋肉を含む腹部組織の異なる層を横切ることを確実にすることはかなり厄介かつ困難であるため、高度な技術に依存するものである。加えて、針が腹腔内の器官に偶発的に接触し、器官を損傷する可能性がある。
【発明の概要】
【課題を解決するための手段】
【０００５】
したがって、本開示は、創傷閉鎖のさらなる改善を企図している。一実施形態において、創傷閉鎖を容易にする外科手術用閉鎖装置は、創傷開口内に位置付け、かつ中央長手方向軸を画定するように寸法決めされ、第１の長手方向通路及び第２の長手方向通路を有する外側部材と、外側部材の第１の長手方向通路内に少なくとも部分的に配設された針組立体と、創傷開口を少なくとも部分的に閉鎖するように構成され、かつ外側部材の第２の長手方向通路を少なくとも部分的に通して延在する縫合糸とを含む。針組立体は、針駆動部と、針駆動部に取り付けられ、かつ縫合糸に連結された縫合針とを含む。縫合針は、針駆動部の操作を通して非準備状態と準備状態との間で中央長手方向軸に対して回転運動するように適合される。縫合針は、準備状態にあるときに創傷開口に隣接する組織を通過するように位置付けられる。
【０００６】
縫合針は、湾曲であり、針先を画定し得る。実施形態において、縫合針の少なくとも針先は、縫合針の準備状態にあるときに外側部材に対して径方向外方に配設され、縫合針の非準備状態にあるときに外側部材に対して径方向外方に配設される。いくつかの実施形態において、針駆動部は、非準備状態と準備状態との間で縫合針の対応する回転運動を生じさせるように、外側部材の第１の長手方向通路内で回転可能である。実施形態において、針組立体は、針駆動部に連結され、非準備状態と準備状態との間で針駆動部及び縫合針の対応する回転運動を生じさせるように可動である手動アクチュエータを含む。
【０００７】
いくつかの実施形態において、外側部材は、ハウジングと、ハウジングから延在する細長い部材とを含む。手動アクチュエータは、縫合針の非準備状態に対応する第１の位置と、縫合針の準備状態に対応する第２の位置との間で回転運動するようにハウジングに取り付けられている。実施形態において、ハウジングは、第１の位置で手動アクチュエータを係合させるための第１の止め具と、第２の位置で手動アクチュエータを係合させるための第２の止め具とを含む。
【０００８】
外側部材は、創傷開口の通過を容易にするように構成された先細りの端区分を含み得る。
【０００９】
一実施形態において、創傷閉鎖を容易にするための外科手術用閉鎖装置は、創傷開口内に位置付け、かつ中央長手方向軸を画定するように寸法決めされた細長い部材と、細長い部材の壁から径方向外方に垂下する保護レッジと、細長い部材に取り付けられた針組立体とを含む。針組立体は、針駆動部と、針駆動部に取り付けられた縫合針とを含む。縫合針は、縫合針が保護レッジと整列される非準備状態と、縫合針が創傷開口に隣接する組織を通過するように位置付けられる準備状態との間で中央長手方向軸に対する針駆動部の操作を通して回転運動するように適合される。実施形態において、縫合糸は、縫合針に連結され、かつ組織内で創傷開口を少なくとも部分的に閉鎖するように構成される。
【００１０】
創傷開口の閉鎖を容易にするための方法がまた、開示される。本方法は、
外側部材を創傷開口内に位置付けることと、
外側部材の第１の長手方向通路内に少なくとも部分的に延在する針組立体を、針組立体の湾曲針を非準備状態から準備状態へと移動させ、それにより湾曲針が外側部材の径方向外方に配設されるように、操作することであって、湾曲針がそこに連結された縫合糸を有する、操作することと、
湾曲針が創傷開口を囲む第１の組織部分を貫通して、縫合糸の第１の縫合区分が第１の組織部分を通過することを生じさせるように、第１の操作を通して創傷開口内で外側部材を移動させることと、
外側部材を創傷開口内に再配置することと、
湾曲針が創傷開口を囲む第２の組織部分を貫通して、縫合糸の第２の縫合区分が第２の組織部分を通過することを生じさせるように、第２の操作を通して外側部材を創傷開口内で移動させることと、
創傷開口を少なくとも部分的に閉鎖するように第１及び第２の縫合区分を固定することと、を含む。
【００１１】
実施形態において、針組立体を操作することは、非準備状態から準備状態への湾曲針の対応する回転運動を生じさせるように、第１の長手方向通路内で針組立体の針駆動部を回転させることを含む。実施形態において、針組立体は、針駆動部に連結された手動アクチュエータを含み、針組立体を操作することは、湾曲針の非準備状態に対応する第１の位置から、湾曲針の準備状態に対応する第２の位置へと、手動アクチュエータを手動で回転させることを含む。
【００１２】
いくつかの実施形態において、外側部材は、縫合糸を収容するための第２の長手方向通路を有し、第１及び第２の操作の各々を通して外側部材を移動させる間、縫合糸は、第２の長手方向通路内をスライドする。実施形態において、第１及び第２の操作の各々を通して創傷開口内で外側部材を移動させることは、創傷開口に対して外側部材を少なくとも部分的に引き抜くことを含む。
【００１３】
実施形態において、創傷開口は、腹腔を通して延在し、第１及び第２の操作の各々を通して外側部材を移動させることは、腹腔を囲む少なくとも筋膜組織を通して第１及び第２の縫合区分を前進させることを含む。
【００１４】
別の実施形態において、創傷閉鎖を容易にするための外科手術用閉鎖装置は、長手方向軸を画定する細長い保持具部材を有する針保持具と、針保持具の保持具部材に固定された針棒及び針棒から延在する縫合針を有する針組立体と、針保護具とを含む。針保護具は、針保持具を少なくとも部分的に受容するように寸法決めされた保護具ハウジングを含む。保護具ハウジングは、縫合針の針先が保護具ハウジング内に配設される非準備状態と、縫合針の針先が保護具ハウジングから露出し、かつ創傷開口に隣接する組織を通過するように位置付けられる準備状態との間で針保持具に対して長手方向に往復運動するように構成される。
【００１５】
実施形態において、針保護具の保護具ハウジングは、針保持具または針棒のうちの少なくとも１つを通過するための第１の開口と、縫合針の少なくとも針先を通過するための第２の開口とを画定する。いくつかの実施形態において、保護具ハウジングは、先細りの進入端区分を含み、第１の開口は、進入端区分の横にあり、第２の開口は、進入端区分を通して延在する。
【００１６】
外科手術用閉鎖装置及び使用方法は、特に、腹腔内で、組織内の創傷開口を閉鎖するための効率的で安全なアプローチを提供する。非準備状態と準備状態との間の針組立体の運動は、いくつかの実施形態において、例えば、ハウジングの第１及び第２の止め具に対する手動アクチュエータの配向によるか、または他の実施形態において、針保持具または縫合針に対する針保護具の位置により、縫合針が提供されるそれぞれの状態を直接確認して臨床医が直接制御する。さらに、針組立体の装置内での組み込みが、高度に技能依存する外科手術手技であり、さらなる外傷及び関連する回復時間を導入し得る、周囲の創傷を縫合するためのアクセスポートを通して針を導入する必要性をなくす。
【００１７】
本開示の他の利点は、下記の説明から理解されるだろう。
本願明細書は、例えば、以下の項目も提供する。
（項目１）
創傷閉鎖を容易にするための外科手術用閉鎖装置であって、
創傷開口内に位置付け、かつ中央長手方向軸を画定するように寸法決めされた外側部材であって、第１の長手方向通路及び第２の長手方向通路を有する、外側部材と、
上記外側部材の上記第１の長手方向通路内に少なくとも部分的に配設された針駆動部と、上記針駆動部に取り付けられた縫合針とを含む針組立体であって、上記縫合針が、上記針駆動部の操作を通して非準備状態と準備状態との間で上記中央長手方向軸に対して回転運動するように適合され、上記縫合針が、上記準備状態にあるときに上記創傷開口に隣接する組織を通過するように位置付けられる、針組立体と、
上記組織内で上記創傷開口を少なくとも部分的に閉鎖するように構成された縫合糸であって、上記縫合針に連結され、かつ上記外側部材の上記第２の長手方向通路を通して少なくとも部分的に延在する、縫合糸と、を備える、外科手術用閉鎖装置。
（項目２）
上記縫合針が、湾曲し、針先を画定する、上記項目に記載の外科手術用閉鎖装置。
（項目３）
上記縫合針の少なくとも上記針先が、上記縫合針の上記準備状態にあるときに上記外側部材に対して径方向外方に配設される、上記項目のいずれかに記載の外科手術用閉鎖装置。
（項目４）
上記縫合針の少なくとも上記針先が、上記縫合針の上記非準備状態にあるときに上記外側部材に対して径方向内方に配設される、上記項目のいずれかに記載の外科手術用閉鎖装置。
（項目５）
上記針駆動部が、上記非準備状態と上記準備状態との間で上記縫合針の対応する回転運動を生じさせるように、上記外側部材の上記第１の長手方向通路内で回転可能である、上記項目のいずれかに記載の外科手術用閉鎖装置。
（項目６）
上記針組立体が、上記針駆動部に連結された手動アクチュエータを含み、上記手動アクチュエータが、上記非準備状態と上記準備状態との間で上記針駆動部及び上記縫合針の対応する回転運動を生じさせるように可動である、上記項目のいずれかに記載の外科手術用閉鎖装置。
（項目７）
上記外側部材が、ハウジングと、上記ハウジングから延在する細長い部材とを含み、上記手動アクチュエータが、上記縫合針の上記非準備状態に対応する第１の位置と、上記縫合針の上記準備状態に対応する第２の位置との間で回転運動するように上記ハウジングに取り付けられている、上記項目のいずれかに記載の外科手術用閉鎖装置。
（項目８）
上記ハウジングが、上記第１の位置で上記手動アクチュエータを係合させるための第１の止め具と、上記第２の位置で上記アクチュエータを係合させるための第２の止め具とを含む、上記項目のいずれかに記載の外科手術用閉鎖装置。
（項目９）
上記外側部材が、上記創傷開口の通過を容易にするように構成された先細りの端区分を含む、上記項目のいずれかに記載の外科手術用閉鎖装置。
（項目１０）
創傷閉鎖を容易にするための外科手術用閉鎖装置であって、
創傷開口内に位置付け、かつ中央長手方向軸を画定するように寸法決めされた細長い部材と、
上記細長い部材の壁から径方向外方に垂下する保護レッジと、
上記細長い部材に取り付けられた針組立体であって、上記針組立体が、針駆動部と、上記針駆動部に取り付けられた縫合針とを含み、上記縫合針が、上記縫合針が上記保護レッジと整列される非準備状態と、上記縫合針が上記創傷開口に隣接する組織を通過するように位置付けられる準備状態との間で上記中央長手方向軸に対する上記針駆動部の操作を通して回転運動するように適合されている、針組立体と、を備える、外科手術用閉鎖装置。
（項目１１）
上記組織内で上記創傷開口を少なくとも部分的に閉鎖するように構成された縫合糸を含み、上記縫合糸が、上記縫合針に連結される、上記項目のいずれかに記載の外科手術用閉鎖装置。
（項目１２）
創傷開口の閉鎖を容易にするための方法であって、
外側部材を創傷開口内に位置付けることと、
上記外側部材の第１の長手方向通路内に少なくとも部分的に延在する針組立体を、上記針組立体の湾曲針を非準備状態から準備状態へと移動させ、それにより上記湾曲針が上記外側部材の径方向外方に配設されるように、操作することであって、上記湾曲針がそこに連結された縫合糸を有する、操作することと、
上記湾曲針が上記創傷開口を囲む第１の組織部分を貫通して、上記縫合糸の第１の縫合区分が上記第１の組織部分を通過することを生じさせるように、第１の操作を通して上記創傷開口内で上記外側部材を移動させることと、
上記外側部材を上記創傷開口内に再配置することと、
上記湾曲針が上記創傷開口を囲む第２の組織部分を貫通して、上記縫合糸の第２の縫合区分が上記第２の組織部分を通過することを生じさせるように、第２の操作を通して上記外側部材を上記創傷開口内で移動させることと、
上記創傷開口を少なくとも部分的に閉鎖するように上記第１及び第２の縫合区分を固定することと、を含む、方法。
（項目１３）
上記針組立体を操作することが、上記非準備状態から上記準備状態への上記湾曲針の対応する回転運動を生じさせるように、上記第１の長手方向通路内で上記針組立体の針駆動部を回転させることを含む、上記項目のいずれかに記載の方法。
（項目１４）
上記針組立体が、上記針駆動部に連結された手動アクチュエータを含み、上記針組立体を操作することが、上記湾曲針の上記非準備状態に対応する第１の位置から、上記湾曲針の上記準備状態に対応する第２の位置へと、上記手動アクチュエータを手動で回転させることを含む、上記項目のいずれかに記載の方法。
（項目１５）
上記外側部材が、上記縫合糸を収容するための第２の長手方向通路を有し、上記第１及び第２の操作の各々を通して上記外側部材を移動させる間に、上記縫合糸が上記第２の長手方向通路内でスライドする、上記項目のいずれかに記載の方法。
（項目１６）
上記第１及び第２の操作の各々を通して上記創傷開口内で上記外側部材を移動させることが、上記創傷開口に対して上記外側部材を少なくとも部分的に引き抜くことを含む、上記項目のいずれかに記載の方法。
（項目１７）
上記創傷開口が、腹腔を通して延在し、上記第１及び第２の操作の各々を通して上記外側部材を移動させることが、上記腹腔を囲む少なくとも筋膜を通して上記第１及び第２の縫合区分を前進させることを含む、上記項目のいずれかに記載の方法。
（項目１８）
創傷閉鎖を容易にするための外科手術用閉鎖装置であって、
長手方向軸を画定する細長い保持具部材を含む、針保持具と、
上記針保持具の上記保持具部材に固定された針棒と、上記針棒から延在する縫合針とを含む針組立体と、
上記針保持具を少なくとも部分的に受容するように寸法決めされた保護具ハウジングを含む針保護具であって、上記保護具ハウジングが、上記縫合針の針先が上記保護具ハウジング内に配設される非準備状態と、上記縫合針の上記針先が上記保護具ハウジングから露出し、かつ創傷開口に隣接する組織を通過するように位置付けられる準備状態との間で上記針保持具に対して長手方向に往復運動するように構成される、針保護具と、を備える、外科手術用閉鎖装置。
（項目１９）
上記針保護具の上記保護具ハウジングが、上記針保持具または針棒のうちの少なくとも１つを通過するための第１の開口と、上記縫合針の少なくとも上記針先を通過するための第２の開口とを画定する、上記項目のいずれかに記載の外科手術用閉鎖装置。
（項目２０）
上記保護具ハウジングが、先細りの進入端区分を含み、上記第１の開口が、上記進入端区分の横に位置付けられ、上記第２の開口が、上記進入端区分を通して延在する、上記項目のいずれかに記載の外科手術用閉鎖装置。
（項目１２Ａ）
創傷開口の閉鎖を容易にするための外科手術用閉鎖装置であって、
外側部材と、
針組立体と、
縫合糸と
を備え、
上記外側部材が、創傷開口内に位置付けられるように構成され、
上記針組立体が、上記外側部材の第１の長手方向通路内に少なくとも部分的に延在させ、上記針組立体の湾曲針を非準備状態から準備状態へと移動させ、それにより上記湾曲針が上記外側部材の径方向外方に配設されるように、操作されるように構成され、上記湾曲針がそこに連結された縫合糸を有し、
上記外側部材が、上記湾曲針が上記創傷開口を囲む第１の組織部分を貫通して、上記縫合糸の第１の縫合区分が上記第１の組織部分を通過することを生じさせるように、第１の操作を通して上記創傷開口内で移動されるように構成され、
上記外側部材が、上記創傷開口内に再配置されるように構成され、
上記外側部材が、上記湾曲針が上記創傷開口を囲む第２の組織部分を貫通して、上記縫合糸の第２の縫合区分が上記第２の組織部分を通過することを生じさせるように、第２の操作を通して上記創傷開口内で移動されるように構成され、
上記第１及び第２の縫合区分が、上記創傷開口を少なくとも部分的に閉鎖するように固定されるように構成される、外科手術用閉鎖装置。
（項目１３Ａ）
上記針組立体が、上記非準備状態から上記準備状態への上記湾曲針の対応する回転運動を生じさせるように、上記第１の長手方向通路内で上記針組立体の針駆動部を回転させるように操作されるように構成される、上記項目のいずれかに記載の外科手術用閉鎖装置。
（項目１４Ａ）
上記針組立体が、上記針駆動部に連結された手動アクチュエータを含み、上記針組立体が、上記湾曲針の上記非準備状態に対応する第１の位置から、上記湾曲針の上記準備状態に対応する第２の位置へと、上記手動アクチュエータを手動で回転させるように操作されるように構成される、上記項目のいずれかに記載の外科手術用閉鎖装置。
（項目１５Ａ）
上記外側部材が、上記縫合糸を収容するための第２の長手方向通路を有し、上記第１及び第２の操作の各々を通して上記外側部材を移動させる間に、上記縫合糸が上記第２の長手方向通路内でスライドするように構成される、上記項目のいずれかに記載の外科手術用閉鎖装置。
（項目１６Ａ）
上記外側部材が、上記第１及び第２の操作の各々を通して上記創傷開口内で移動され、上記創傷開口に対して上記外側部材を少なくとも部分的に引き抜くように構成される、上記項目のいずれかに記載の外科手術用閉鎖装置。
（項目１７Ａ）
上記創傷開口が、腹腔を通して延在し、上記外側部材が、上記第１及び第２の操作の各々を通して移動され、上記腹腔を囲む少なくとも筋膜を通して上記第１及び第２の縫合区分を前進させるように構成される、上記項目のいずれかに記載の外科手術用閉鎖装置。
（摘要）
創傷閉鎖を容易にするための外科手術用閉鎖装置は、創傷開口内に位置付け、かつ中央長手方向軸を画定するように寸法決めされ、第１の長手方向通路及び第２の長手方向通路を有する外側部材と、外側部材の第１の長手方向通路内に少なくとも部分的に配設された針組立体と、創傷開口を少なくとも部分的に閉鎖するように構成され、かつ外側部材の第２の長手方向通路を通して少なくとも部分的に延在する縫合糸とを含む。針組立体は、針駆動部と、針駆動部に取り付けられ、かつ縫合糸に連結された縫合針とを含む。縫合針は、針駆動部の操作を通して非準備状態と準備状態との間で中央長手方向軸に対して回転運動するように適合される。縫合針は、準備状態にあるときに創傷開口に隣接する組織を通過するように位置付けられる。
【００１８】
本開示の実施形態は、添付の図を参照して理解されるだろう。
【図面の簡単な説明】
【００１９】
【図１】外側部材、外側部材内に少なくとも部分的に配設された針組立体、及び針組立体に連結された縫合糸を図示する本開示の原則による外科手術用閉鎖装置の斜視図である。
【図２】外科手術用閉鎖装置の分解斜視図である。
【図２Ａ】針組立体の縫合針を図示する拡大斜視図である。
【図３】縫合針の非準備状態での針組立体の配置を図示する外科手術用閉鎖装置の側断面図である。
【図４】縫合針の非準備状態にあるときの針組立体の手動アクチュエータの位置付けを図示する外科手術用閉鎖装置の上軸方向図である。
【図５】非準備状態にあるときの針組立体の縫合針の位置付けを図示する外科手術用閉鎖装置の底軸方向図である。
【図６】縫合針の準備状態にあるときの針組立体の配置を図示する外科手術用閉鎖装置の側断面図である。
【図７】縫合針の準備状態にあるときの針組立体の手動アクチュエータの位置付けを図示する外科手術用閉鎖装置の上軸方向図である。
【図８】準備状態にあるときの針組立体の縫合針の位置付けを図示する外科手術用閉鎖装置の底軸方向図である。
【図９Ａ】腹部内で創傷開口を閉鎖する際の外科手術用閉鎖装置の使用の順序を図示する。
【図９Ｂ】腹部内で創傷開口を閉鎖する際の外科手術用閉鎖装置の使用の順序を図示する。
【図９Ｃ】腹部内で創傷開口を閉鎖する際の外科手術用閉鎖装置の使用の順序を図示する。
【図９Ｄ】腹部内で創傷開口を閉鎖する際の外科手術用閉鎖装置の使用の順序を図示する。
【図９Ｅ】腹部内で創傷開口を閉鎖する際の外科手術用閉鎖装置の使用の順序を図示する。
【図９Ｆ】腹部内で創傷開口を閉鎖する際の外科手術用閉鎖装置の使用の順序を図示する。
【図９Ｇ】腹部内で創傷開口を閉鎖する際の外科手術用閉鎖装置の使用の順序を図示する。
【図１０】保護レッジ、針組立体、及び針組立体の針の周りでループ状である縫合糸を有する外側部材を図示する外科手術用閉鎖装置の別の実施形態の斜視図である。
【図１１】縫合糸が除去された状態の針組立体の非準備状態での図１０の外科手術用閉鎖装置の側立面図である。
【図１２】縫合糸が除去された状態の針組立体の準備状態での図１０の外科手術用閉鎖装置の側立面図である。
【図１３】図１２で特定された詳細の領域の拡大分離図である。
【図１４】針保持具、針保持具に対してスライド可能に取り付けられた針保護具、及び非準備状態での針を有する針保持具内に少なくとも部分的に取り付けられた針組立体を図示する外科手術用閉鎖装置の別の実施形態の側平面図である。
【図１５】非準備状態での針組立体をさらに図示する図１４の外科手術用閉鎖装置の側断面図である。
【図１６】準備状態での針組立体を図示する図１４の外科手術用閉鎖装置の側平面図である。
【図１７】準備状態での針をさらに図示する図１４の外科手術用閉鎖装置の側断面図である。
【発明を実施するための形態】
【００２０】
本開示の具体的な実施形態は、添付の図を参照して下記の本明細書に記載されているが、本開示されている実施形態は、本開示の単なる例であり、種々の形態で具現化され得ることを理解すべきである。良く知られている機能または構造は、不要な詳細で本開示を不明瞭にすることを避けるために詳細には記載されていない。したがって、本明細書で開示されている特定の構造及び機能の詳細は、限定するものとして解釈されるべきではなく、単に、特許請求の範囲のための基礎事項として、かつ事実上、任意の適切に詳述された構造で本開示を用いるように当業者に教示するための代表的な基礎事項として、解釈されるべきである。
【００２１】
次に、同様の符号がいくつかの図全体を通して同様の構成要素を示す図を参照すると、図１〜３は、本開示の例示的な実施形態による外科手術用閉鎖装置１０を図示する。外科手術用閉鎖装置１０は、組織内の創傷開口の閉鎖を容易にするように適合され、例えば、腹腔鏡外科手術手技と関連して、腹壁を通して腹部内で生成された穿刺またはポート創傷の閉鎖における具体的な用途を有する。しかしながら、外科手術用閉鎖装置１０及び関連する使用方法はまた、外科手術手技中に生成されたか、または事故または外傷から生じたかに関わらず、対象の体の他の領域内の創傷開口を閉鎖するために使用され得る。
【００２２】
外科手術用閉鎖装置１０は、近位及び遠位端部分１４、１６を画定する外側部材１２と、外側部材１２内に少なくとも部分的に位置付け可能な針組立体１８と、針組立体１８に連結された縫合糸２０とを含む。外側部材１２は、近位端部分１４に隣接するハウジング２２と、ハウジング２２から遠位に延在する細長い部材２４とを含む。ハウジング２２及び細長い部材２４は、一体的に形成され得るか、または代替的に、従来型の手段を介して互いに固定された別個の構成要素であり得る。外側部材１２は、中央長手方向軸「ｋ」を画定し、図３に最適に図示されるようなハウジング２２及び細長い部材２４を通して少なくとも部分的に延在する第１及び第２の長手方向通路２６、２８を有する。第１の長手方向通路２６は、中央長手方向軸「ｋ」に対して径方向に離間し、第２の長手方向通路２８は、中央長手方向軸「ｋ」と略長手方向に整列している。他の配置がまた、想定される。ハウジング２２と、細長い部材２４とを含む外側部材１２は、第１及び第２の長手方向通路２６、２８を除いて、全体的または部分的に固体であり得、または、代替的に、中空であり得、第１及び第２の長手方向通路２６、２８を画定する内部管を含み得る。
【００２３】
図１及び２を再び参照すると、ハウジング２２は、縫合糸２０を受容及び通過するために第２の長手方向通路２８と連通するその近位のハウジング端面３２内に張り出し進入開口３０を含む。ハウジング端面３２はまた、中央長手方向軸「ｋ」とハウジング２２の周辺との間に位置付けられた第１の止め具３４と、第１の止め具３４と略直径方向に対向する関係でハウジング２２の周辺に隣接する第２の止め具３６とを含む。第１及び第２の止め具３４、３６は、ハウジング端面３２から延在する棚または突出部の形態であり得る。第１及び第２の止め具３４、３６のそれぞれの機能は、本明細書の下でより詳細に考察されるだろう。
【００２４】
図１〜３を再び参照すると、外側部材１２の細長い部材２４は、その長さの大部分に沿って略円筒状であり、組織の通過を容易にするように寸法決めされた遠位端部分１６に隣接する先細りの端区分３８を保持する。先細りの端区分３８は、組織に対して外傷性でない湾曲先端または最遠位表面４０を画定し、それにより外側部材１２が創傷開口を通過するときに組織の根掛かりまたは所望されない穿刺を最小にする。示されているように、第２の長手方向通路２８は、中央長手方向軸「ｋ」に沿って先細りの区分３８を通して延在し、第１の長手方向通路２６は、先細りの区分３８の近位で終端する。
【００２５】
針組立体１８は、手動アクチュエータ４２と、手動アクチュエータ４２から延在する細長い針駆動部４４と、針駆動部４４に接続された縫合針４６とを含む。手動アクチュエータ４２は、ハウジング２２に対して回転運動するように取り付けられ、臨床医により手動で係合されるように寸法決めされる。針駆動部４４は、従来型の手段を介して手動アクチュエータ４２に接続され、外側部材１２の第１の長手方向通路２６内に少なくとも部分的に配設される。縫合針４６は、針先４８に導く、例えば、略Ｊ字形状の湾曲針である。代替例において、縫合針４６は、直線状であり得、針先４８が、例えば、略Ｖ字形状のハウジングに向かって延在するように、長手方向軸「ｋ」に対してオフセットされる。縫合針４６は、針駆動部４４もしくは従来型の手段を通して針駆動部４４に固定された別個の構成要素と一体的に形成され得る。縫合針４６は、外側部材１２の遠位に、またはその遠位端部分１６を超えて少なくとも部分的に配設される。縫合針４６は、縫合糸２０を通過するように針４４の本体を通して延在する穴５０を含み得る（図２Ａ）。
【００２６】
図１〜３を続いて参照すると、縫合糸２０は、縫合針４６の穴５０を通して、外側部材１２の第２の長手方向通路２８を通して、ハウジング２２の外側に延在する。一実施形態において、縫合糸２０は、縫合針４６に対して固定されず、穴５０を通過する。代替的な実施形態において、縫合糸２０は、穴５０に対して固定され得る。縫合糸２０は、創傷開口を閉鎖する際の装置１０の使用中に、第２の長手方向通路２８を通して前進するか、またはスライドすることができる。縫合糸２０のための組み立てに好適な材料は、天然もしくは合成の分解性材料、非分解性材料、またはそれらの組み合わせを含む。
【００２７】
針組立体１８の縫合針４６は、創傷開口を通した装置１０の挿入及び通過を容易にするための非準備状態と、縫合針４６が創傷開口を囲む組織に係合するように位置付けられる準備状態との間を移行するように適合される。図３〜５は、針組立体１８の縫合針４６の非準備状態を図示する。非準備状態において、手動アクチュエータ４２は、に第１の止め具３４接触する第１の位置に、中央長手方向軸「ｋ」に対して径方向内方に配向される。手動アクチュエータ４２の第１の止め具３４との接触は、縫合針４６が非準備状態にある臨床医に対する視覚的な確認を提供する。実施形態において、「非準備」を表す、刷り込まれた「ｕ」等の視覚的なしるしは、縫合針４６の非準備状態のさらなる確認を提供するように、ハウジング端面３２上に提供され得る。第１の止め具３４はまた、反時計回りの方向（図４）での手動アクチュエータ４２の任意のさらなる回転を防ぎ、それにより準備配向に向かった針駆動部４４及び縫合針４６の対応する回転を防ぐだろう。加えて、手動アクチュエータ４２は、第２の長手方向通路２８内の縫合糸２０の運動を最小にし、かつ／または防ぐように、その第１の位置にあるときに張り出し進入開口３０（図２）から出る縫合糸２０に解放可能に係合するように寸法決めされ得、それにより、装置１０自体またはその構成要素上での縫合糸のもつれの可能性を低減する。
【００２８】
非準備状態において、縫合針４６は、針４４及び針先４８が外側部材１２の細長い部材２４により画定された外側筐体もしくは直径「ｂ」内に少なくとも部分的に、もしくは全体的に閉じ込められるように、中央長手方向軸「ｋ」に対して径方向内方に配設される（図５）。縫合針４６の湾曲形状はまた、先細りの端区分３８の先端表面４０により画定された輪郭に従い得、それにより創傷開口内への挿入中に装置１０の先端の低減プロファイルを提供し、創傷開口を囲む組織との縫合針４６の不注意による係合を最小にする外側部材１２と近似の関係で縫合針４６を維持する。
【００２９】
図６〜８は、準備状態での針組立体１８の縫合針４６を図示する。準備状態は、針駆動部４４及び縫合針４６の対応する回転を生じさせる方向「ｍ」で手動アクチュエータ４２を回転させることにより影響を受ける。準備状態を達成すると、手動アクチュエータ４２は、縫合針４６が準備されたことについて臨床医に、例えば、触覚的かつ視覚的の両方での確認を提供する第２の止め具３６を係合させる。実施形態において、ハウジング端面３２は、縫合針４６の準備状態も特定するように、第２の止め具３６の隣に印刷された「ａ」（「準備状態」を表す）を有し得る。縫合針４６及び針先４８の少なくとも主要な部分は、創傷開口を囲む組織を通して穿刺するように位置付けられた準備状態にあるときに外側部材１２の細長い部材２４の境界「ｂ」を超えて径方向に配設される。
【００３０】
図９Ａ〜９Ｇは、創傷開口を閉鎖する際の装置１０の使用の方法を図示する。下記の考察は、腹腔鏡手技中に栓塞子またはトロカールにより生成された穿刺創傷を閉鎖する際の装置１０の使用に焦点が当たるだろう。しかしながら、装置１０は、体の任意の領域内の外傷に起因する創傷の閉鎖において用途を有し得ることが想定される。
【００３１】
腹腔内の腹腔鏡手技または操作の実行に続いて、臨床医の注意は、腹腔を通して延在する穿刺またはポート創傷を閉鎖することに向けられる。臨床医は、装置１０を把持し、ハウジング端面３２の進入開口３０を通して、第２の長手方向通路２８を通して、縫合糸２０を縫い進める。次に、縫合糸２０は、縫合針４６の穴５０を通過する（図２Ａ）。一方法において、縫合糸２０は、穴５０に対して固定されない。針組立体１８の縫合針４６は、手動アクチュエータ４２が第１の止め具３４に接触するように、方向矢印「ｊ」の方向に手動アクチュエータ４２を回転させることにより図９Ａの非準備状態で留置される（図４）。非準備状態において、次に、装置１０は、皮下組織「ｓ」、筋膜「ｆ」、及び腹壁の腹腔膜「ｌ」を通して延在する創傷開口「ｗ」内に導入または位置付けられる。装置１０は、少なくとも縫合針４６が下層の腹腔「ｃ」に進入するように前進される。上で示されたように、先細りの端区分３８、先細りの端区分３８の円形先端表面４０、ならびに縫合針４６の円形先端表面４０との配向及び関係により提供された低プロファイルは、周囲の組織との不注意による係合を最小にすると同時に、創傷開口「ｗ」の通過を容易にする。
【００３２】
いったん縫合針４６が腹腔「ｃ」内に配設されると、図９Ｂに図示されているように、縫合針４６は、例えば、第２の止め具３６に対する第２の位置（図７）への手動アクチュエータ４２の回転を介した、手動アクチュエータ４２の操作を通して準備状態へと移動される。準備状態において、針先４８及び縫合針４６の少なくとも一部分が、縫合糸２０が縫合針４６の穴５０に連結され、第２の長手方向通路２８を通して後ろに延在する状態で、外側部材１２の細長い部材２４の外方に配設される。その後、図９Ｃに図示されているように、装置１０は、針先４８及び縫合針４６が、創傷開口「ｗ」を囲む筋膜及び／または皮下組織を含む第１の組織部分「ｔ１」を通して穿刺し、それにより第１の組織部分「ｔ１」を通して縫合糸２０の第１の縫合区分２０ａを通ることを生じさせる、例えば、第１の操作を通して臨床医に向かって近位方向に引っ張られる等、創傷開口「ｗ」に対して少なくとも部分的に引き抜かれる。装置１０は、縫合糸２０の第１の縫合区分２０ａを臨床医に露出させるのに十分な距離で後退される。第１の縫合区分２０ａは、第１の縫合区分２０ａを、針４６の穴５０を通して、第１の組織部分「ｔ１」を通して、腹腔「ｃ」の外方に引っ張るように、例えば、鉗子を用いて把持され得る。第１の縫合区分２０ａのこの運動中に、縫合糸２０は、外側部材１２の第２の長手方向通路２８を通して前進またはスライドする。次に、図９Ｄに図示されているように、装置１０は、第１の縫合区分２０ａが腹腔「ｃ」の外側に保持または固定されながら、創傷開口「ｗ」内を後ろに進む。装置１０が創傷開口「ｗ」内に前進されたとき、縫合糸２０は、外側部材１２の第２の長手方向通路２８内でスライドする。
【００３３】
次に、図９Ｅを参照すると、全体的な装置１０は、縫合針４６を創傷開口「ｗ」の他側上の対向する組織に隣接して位置付けるように、例えば、１８０°の円弧区分を通して創傷開口「ｗ」内に再配置されるか、または回転される。装置１０は、再び、腹腔「ｃ」から縫合糸２０の第２の縫合区分２０ｂを露出させるように、針先４８及び取り付けられた縫合糸２０が、筋膜「ｆ」及び／または皮下組織「ｓ」を含む創傷開口「ｗ」を囲む第２の組織部分「ｔ２」を通過することを生じさせる、創傷開口に対して少なくとも部分的に引き抜かれるか、または図９Ｆに図示されるような第２の操作を通して臨床医に向かって近位に引っ張られる。この運動中、縫合糸２０は、本明細書の上記で考察されたものと同様の方法で外側部材１２の第２の長手方向通路２８を通してスライドする。第１及び第２の縫合区分２０ａ、２０ｂが、腹腔「ｃ」から露出され、創傷開口「ｗ」を囲むそれぞれの第１及び第２の組織部分「ｔ１」、「ｔ２」を通過する状態で、縫合糸２０は、残りの縫合糸が、第２の長手方向通路２８を通して、先細りの端区分３８から遠位にスライドするように、鉗子を用いて第２の縫合区分２０ｂ上で引っ張ることにより、装置１０から除去される。縫合糸２０が、装置１０から解放された状態で、縫合針４６は、第１の止め具３４に対して第１の位置（図４）に、例えば、手動アクチュエータ４２の回転を介して、手動アクチュエータ４２の操作を通して非準備状態へと移動される。次に、装置１０は、創傷開口「ｗ」から除去される。縫合糸２０の第１及び第２の縫合区分２０ａ、２０ｂは、図９Ｇに示すように創傷開口「ｗ」を閉鎖するための従来型の方法で、創傷開口「ｗ」に対して締められ、かつ縛られる。
【００３４】
図１０〜１３は、外科手術用閉鎖装置の代替的な実施形態を図示する。外科手術用閉鎖装置１００は、図１〜８の実施形態に関連して記載されている特徴のいくつかを含む。閉鎖装置１００は、ハウジング１０４と、ハウジング１０４から垂下する細長い部材１０６を有する外側部材１０２とを含む。ハウジングは、内側環状凹部１０８を画定する。細長い部材１０６は、細長い部材１０６の近位及び遠位端１１２、１１４の中間に、細長い部材１０６の壁から径方向外方に延在する保護レッジ１１０を含む。保護レッジ１１０は、外側部材１０２の長手方向軸「ｐ」に対して傾斜「α１」、「α２」の対向する、例えば、斜めの角度でそれぞれ先細りである先端縁表面１１６及び後端縁表面１１８を画定する（図１３）。傾斜「α１」、「α２」の角度は、創傷開口内での細長い部材１０６の前進及び引き抜きを容易にするように選択され、約５°〜約４５°の間の範囲にあり得る。先端及び後端縁表面１１６、１１８は、装置１００が創傷開口内で操作されるときの組織への外傷を最小にするであろう、外傷性でないかまたは湾曲した表面１２０により相互接続される。保護レッジ１１０は、細長い部材１０６の壁と湾曲表面１２０との間に画定された外側境界「ｒ」を画定する（図１１）。
【００３５】
針組立体は、図１〜８の実施形態と関連して記載された針組立体と実質的に同様であり、手動アクチュエータ１２２と、手動アクチュエータ１２２から延在する針駆動部１２４と、湾曲縫合針１２６とを含む。縫合針１２６は、ハウジング１０４内の環状凹部１０８内に存在する手動アクチュエータ１２２の回転を通して、図１１の非準備状態と図１２の準備状態との間で操作可能である。図１１の非準備状態において、縫合針１２６は、保護レッジ１１０と整列され、それにより、例えば、針先１２８等の外側境界内に閉じ込められ、縫合針１２６は、保護レッジ１１０の外側境界「ｒ」の径方向内方にある。準備状態において、縫合針１２６の針先１２８は、保護レッジ１１０から変位された細長い部材１０６の対向側上で、組織を通して穿刺する位置に配設される。
【００３６】
図１０に最適に図示されているように、縫合糸１３０は、縫合針１２６内の穴１３２を通して延在し、縫合針１２６の周りに巻かれるか、またはコイル状になっている。図１１〜１２において、縫合糸１３０は、図示の目的のために取り除かれている。図１〜８の実施形態に記載されているように、縫合糸１３０は、細長い部材１０６内の通路を通して後ろに延在しない。むしろ、細長い部材１０６は、通路が無く、創傷閉鎖手技において利用される長さの縫合糸１３０は、縫合針１２６の周りに巻かれるか、またはループ状になっている。
【００３７】
装置１００の使用は、図９Ａ〜９Ｇと関連して記載されている装置１０の使用と同様である。縫合針１２６が図１１の非準備状態にある状態で、装置１００は、少なくとも縫合針１２６及び可能であれば保護レッジ１１０が腹腔内に配設されるように、創傷開口内を前進される。組織の通過中、保護レッジ１１０の先端縁表面１１６の先細りは、創傷開口内の細長い部材１０６の通過を容易にするだろう。加えて、針先１２８及び針１２６は、創傷開口を囲む組織の所望されない穿刺を避けるように、保護レッジ１１０の境界「ｒ」内に閉じ込められる。その後、縫合針１２６は、図１２の準備状態へと移動され、装置１００は、創傷開口内で少なくとも部分的に引き抜かれ、それにより縫合針１２６は、創傷開口を囲む筋膜組織を含む組織に係合する。組織からの縫合針１２６の針先１２８の露出時に、縫合糸１３０の露出された端区分は、例えば、捕捉器具を用いて把持され、臨床医により保持される。創傷内での装置１００の少なくとも部分的な引き抜き中に、その角度付き配向に起因する、保護レッジ１１０の後端縁表面１１８は、この方向での細長い部材１０６の通過を容易にするだろう。装置１００は、創傷開口内で再導入されるか、または後方に進まれ、露出された縫合端区分は、臨床医により保持され、それにより縫合糸１３０の残りの区分は、縫合針１２６の穴１３２を通してスライドする。装置１００は、創傷開口の他側上の対向する組織に隣接して縫合針１２６を位置付けるように、例えば、１８０°の円弧区分を通して創傷開口内で回転される。装置１００は、再び、創傷開口に対して少なくとも部分的に引き抜かれ、針先１２８及び取り付けられた縫合糸１３０が、創傷開口を囲む筋膜組織を含む対向する組織部分を通過することを生じさせる。臨床医は、縫合糸１３０の露出された区分を把持する。２つの縫合区分が、腹腔から露出され、創傷開口を囲むそれぞれの対向する組織部分を通過する状態で、残りの縫合糸は、縫合糸１３０の全体的な長さを装置１００から解放するように、縫合針１２６の穴１３２を通して引っ張られる。縫合糸１３０が装置１００から解放された状態で、縫合針１２６は、手動アクチュエータ１２０の操作を通して非準備状態へと移動され、次に、装置１００は、創傷開口から除去される。縫合糸１３０の縫合区分は、創傷開口に対して締められ、創傷開口を閉鎖するように縛られる。
【００３８】
図１４〜１５は、外科手術用閉鎖装置の代替的な実施形態を図示する。閉鎖装置２００は、針保持具２０２と、針保持具２０２に取り付けられた針組立体２０４と、針保持具２０２に対してスライド可能に取り付けられた針保護具２０６とを含む。針保持具２０２は、Ｔ字形状のハンドル２０８と、ハンドル２０８から垂下し、長手方向軸「ｗ」を画定する細長い保持具部材２１０とを含む。針組立体２０４は、針棒２１２と、針棒２１２から延在する湾曲縫合針２１４とを含む。針棒２１２は、従来型の方法論を通して針保持具２０２の保持具部材２１０内に固定される。縫合針２１４は、縫合糸に係合するために開口または穴（図示せず）を含む。針保持具２０２及び針組立体２０４は、各々、単一ユニットとして一体的に形成され得る。
【００３９】
針保護具２０６は、針保持具２０２と、可能であれば、針棒２１２を受容するための長手方向通路２１８を画定する保護具ハウジング２１６とを含む。長手方向通路２１８は、部分的に、保護具ハウジング２１６を通して延在する内部管により画定され得る。保護具ハウジング２１６は、縫合針２１４に隣接して位置付けられ、創傷開口の通過を容易にするように構成される、先細り及び／または弓形の進入端区分２２０を有する。保護具ハウジング２１６は、さらに、例えば、長手方向通路２１８と長手方向に整列する進入端区分２２０の横に隣接する第１の開口２２２と、進入端区分２２０内の第２の開口２２４とを画定する。第１の開口２２２は、針保持具２０２の保持具部材２１０及び針組立体２０４の針棒２１２の往復運動を可能にするように寸法決めされる。第２の開口２２４は、図１４〜１５内に図示される針組立体２０４の非準備状態にあるときに、縫合針２１４の少なくとも針先２２６を受容する。進入端区分２２０の残りの部分は、創傷開口及び／または組織を通して貫通する助けとなるように閉鎖される。保護具ハウジング２１６は、さらに、臨床医による把持係合を容易にするように、その外部表面上に、例えば、鋸歯状、リブ、凹凸の形態のグリップ２２８を含み得る。
【００４０】
保護具ハウジング２１６を含む針保護具２０６は、保護具ハウジング２１６の長手方向通路２１８内での針保持具２０２の相対的なスライド運動を通して、図１４〜１５の非準備状態と図１６〜１７の準備状態との間で針保持具２０２及び針組立体２０４に対して長手方向に往復運動するように適合される。図１４〜１５の非準備状態にあるときに、針棒２１２は、保護具ハウジング２１６の外側境界内に閉じ込められ、縫合針２１４の針先２２６は、保護具ハウジング２１６の第２の開口２２４内に受容される。具体的には、針棒２１２は、進入端区分２２０の先細りの構成により生成された開口空間２３０内に収容され、縫合針２１４は、一般的に、進入端区分２２０の外部表面または輪郭に従う。この配置は、閉鎖装置２００のプロファイルを有意に低減し、それにより創傷開口内への進入及び通過を容易にする。図１６〜１７の準備状態において、針先２２６及び縫合針２１４は、創傷開口を囲む組織部分に係合するように位置付けられた保護具ハウジング２１６から露出される。
【００４１】
閉鎖装置２００の使用は、本明細書で上記に記載されている装置１０、１００の使用と同様である。針組立体２０４が図１４〜１５の非準備状態にある状態で、閉鎖装置２００は、縫合針２１４を腹腔内に位置付けるように、創傷開口内でハンドル２０８の係合により前進される。針保護具２０６は、創傷開口を囲む組織境界を通して縫合糸（図示せず）を通る際に使用するための縫合針２１４及び針先２２６を露出させるように、図１６〜１７の準備状態へとハンドル２０８に向かってスライドまたは後退される。閉鎖装置２００は、創傷開口の閉鎖への影響に応じて創傷開口に対して回転され、かつ少なくとも部分的に引き抜かれ得る。針組立体２０４の非準備または準備状態の確認は、例えば、針保持具２０２のハンドル２０８等の針保持具２０２に対して針保護具の位置を見ることにより、確定され得る。
【００４２】
創傷閉鎖の上に記載されている方法は、創傷を閉鎖するように創傷開口を囲む組織を通して２つの区分を通過することを含むが、２つ超の縫合区分を利用し得ることが想定される。例えば、各縫合区分の適用に続いて、創傷開口内のおよそ９０°の円弧区域を通して装置１０、１００、２００を回転させること等を必然的に伴うであろう、４つの縫合区分が、創傷開口の周りに適用されてもよい。
【００４３】
上の説明及び図は、本開示の実施形態を記載する目的のために提供されるものであり、いかなる方法でも本開示の範囲を限定することを企図していない。本開示の精神または範囲から逸脱することなく、種々の変更及び変形が行われ得ることが、当業者には明らかであろう。したがって、本開示は、添付の特許請求の範囲及びそれらの等価物の範囲内に該当することを条件に、この開示の変更例及び変形例を包含することが企図される。
【図１】
2018126508.tif 000003
【図２】
2018126508.tif 000004
【図２Ａ】
2018126508.tif 000005
【図３】
2018126508.tif 000006
【図４】
2018126508.tif 000007
【図５】
2018126508.tif 000008
【図６】
2018126508.tif 000009
【図７】
2018126508.tif 000010
【図８】
2018126508.tif 000011
【図９Ａ】
2018126508.tif 000012
【図９Ｂ】
2018126508.tif 000013
【図９Ｃ】
2018126508.tif 000014
【図９Ｄ】
2018126508.tif 000015
【図９Ｅ】
2018126508.tif 000016
【図９Ｆ】
2018126508.tif 000017
【図９Ｇ】
2018126508.tif 000018
【図１０】
2018126508.tif 000019
【図１１】
2018126508.tif 000020
【図１２】
2018126508.tif 000021
【図１３】
2018126508.tif 000022
【図１４】
2018126508.tif 000023
【図１５】
2018126508.tif 000024
【図１６】
2018126508.tif 000025
【図１７】
2018126508.tif 000026